(57)【要約】【課題】補正精度を向上した画像表示装置を提供することを目的とする。【解決手段】第１の画素の点灯時間を決めるデータを第１の画素の明るさを指定するデータに基づいて出力する第１の補正手段と、第２の画素の点灯時間を決めるデータを第２の画素の明るさを指定するデータに基づいて出力する第２の補正手段と、出力された点灯時間を決めるデータに基づいて変調信号を出力する変調信号出力回路と、を有する。第１の補正手段では、第１の画素の明るさの損失を補償する第１の補正が行われ、第２の補正手段では、第１の補正によって補正される第１の画素の点灯状態を予測して第２の画素の明るさの損失を補償する第２の補正が行われる。【選択図】図１
2008170970.tif 000002
【特許請求の範囲】
【請求項１】
第１の画素及び第２の画素と、
前記第１の画素と前記第２の画素が共通に接続される共通配線と、
前記第１の画素に接続され、第１の画素の点灯時間を変調する変調信号を印加する第１の変調信号配線と、
前記第２の画素に接続され、第２の画素の点灯時間を変調する変調信号を印加する第２の変調信号配線と、
前記第１の画素の点灯時間を決めるデータを前記第１の画素の明るさを指定するデータに基づいて出力する第１の補正手段と、
前記第２の画素の点灯時間を決めるデータを前記第２の画素の明るさを指定するデータに基づいて出力する第２の補正手段と、
前記出力された点灯時間を決めるデータに基づいて前記変調信号を出力する変調信号出力回路と、
を有し、
前記第１の補正手段では、前記第１の画素の明るさの損失を補償する第１の補正が行われ、
前記第２の補正手段では、前記第１の補正によって補正される前記第１の画素の点灯状態を予測して前記第２の画素の明るさの損失を補償する第２の補正が行われる
ことを特徴とする画像表示装置。
【請求項２】
第１の画素及び第２の画素と、
前記第１の画素と前記第２の画素が共通に接続される共通配線と、
前記第１の画素に接続され、第１の画素の点灯時間を変調する変調信号を印加する第１の変調信号配線と、
前記第２の画素に接続され、第２の画素の点灯時間を変調する変調信号を印加する第２の変調信号配線と、
を有する画像表示装置の駆動方法であって、
前記第１の画素の点灯時間を決めるデータを前記第１の画素の明るさを指定するデータに基づいて出力するステップと、
前記第２の画素の点灯時間を決めるデータを前記第２の画素の明るさを指定するデータに基づいて出力するステップと、
前記出力される点灯時間を決めるデータに基づいて前記変調信号を出力するステップと、を有し、
前記第１の画素の点灯時間を決める前記データは、前記第１の画素の明るさの損失を補償する第１の補正が行われたデータであり、
前記第２の画素の点灯時間を決める前記データは、前記第１の補正によって補正される前記第１の画素の点灯状態を予測して前記第２の画素の明るさの損失を補償する第２の補正が行われたデータである
ことを特徴とする画像表示装置の駆動方法。
【請求項３】
複数の画素と、
前記複数の画素が共通に接続される共通配線と、
前記複数の画素のそれぞれに接続され、各画素の点灯時間を変調する変調信号を各画素に印加する複数の変調信号配線と、
入力されるデータを補正して出力する補正回路と、
前記補正回路で補正されたデータに基づいて前記変調信号を出力する変調信号出力回路と、を備えた画像表示装置であって、
前記補正回路は、
前記変調信号を出力することができる期間内のＭ個の期間を第１から第Ｍの期間とよび
、Ｍを２以上の自然数、ｐを２≦ｐ≦Ｍの自然数、とした場合において、
前記複数の画素各々の第１の期間における明るさを示す値を前記入力されるデータに基づいて算出し、かつ、第ｐの期間における明るさを示す値を順次算出する算出手段と、
各期間における前記明るさを示す値を各画素毎に積算する積算手段と、
を有しており、
前記積算によって得た値が前記入力されるデータにより指定された明るさを示す値を超えている画素を判別した結果に基づいて、第ｐの期間における前記明るさを示す値が算出される
ことを特徴とする画像表示装置。
【請求項４】
複数の画素と、
前記複数の画素が共通に接続される共通配線と、
前記複数の画素のそれぞれに接続され、各画素の点灯時間を変調する変調信号を各画素に印加する複数の変調信号配線と、
を有する画像表示装置の駆動方法であって、
入力されるデータを補正する補正ステップと、
前記補正ステップで補正されたデータに基づいて前記変調信号を出力するステップと、を含み、
前記変調信号を出力することができる期間内のＭ個の期間を第１から第Ｍの期間とよび、Ｍを２以上の自然数、ｐを２≦ｐ≦Ｍの自然数、とした場合において、
前記補正ステップは、
前記複数の画素各々の第１の期間における明るさを示す値を前記入力されるデータに基づいて算出するステップと、
前記複数の画素各々の第ｐの期間における明るさを示す値を順次算出するステップと、
各期間における前記明るさを示す値を各画素毎に積算するステップと、を含み、
入力されるデータにより指定された明るさを示す値を前記積算した値が超えている画素を判別した結果に基づいて、第ｐの期間における前記明るさを示す値が算出される
ことを特徴とする画像表示装置の駆動方法。
【請求項５】
複数の画素を含む第１の画素群及び複数の画素を含む第２の画素群と、
前記第１の画素群の複数の画素と前記第２の画素群の複数の画素が共通に接続される共通配線と、
前記第１の画素群の複数の画素及び前記第２の画素群の複数の画素にそれぞれ接続され、各画素の点灯時間を変調する変調信号を印加する複数の変調信号配線と、
前記第１の画素群に属する画素の点灯時間を決めるデータを、前記第１の画素群の複数の画素の点灯状態を示す値と、前記第２の画素群の複数の画素の点灯状態を示す値と、に基づく演算を行って出力する第１の補正手段と、
前記第２の画素群に属する画素の点灯時間を決めるデータを、前記第１の画素群の複数の画素の点灯状態を示す値と、前記第２の画素群の複数の画素の点灯状態を示す値と、に基づく演算を行って出力する第２の補正手段と、
該出力された点灯時間を決めるデータに基づいて前記変調信号を出力する変調信号出力回路と、
を有しており、
前記第２の補正手段は、前記第１の画素群の複数の画素の点灯状態を示す値として、前記第１の補正手段における演算に基づいて更新された値を用いる
ことを特徴とする画像表示装置。
【請求項６】
複数の画素を含む第１の画素群及び複数の画素を含む第２の画素群と、
前記第１の画素群の複数の画素と前記第２の画素群の複数の画素が共通に接続される共通配線と、
前記第１の画素群の複数の画素及び前記第２の画素群の複数の画素にそれぞれ接続され、各画素の点灯時間を変調する変調信号を印加する複数の変調信号配線と、
を有する画像表示装置の駆動方法であって、
前記第１の画素群に属する画素の点灯時間を決めるデータを、前記第１の画素群の複数の画素の点灯状態を示す値と、前記第２の画素群の複数の画素の点灯状態を示す値と、に基づいて決定し、
前記第２の画素群に属する画素の点灯時間を決めるデータを、前記第１の画素群の複数の画素の点灯状態を示す値と、前記第２の画素群の複数の画素の点灯状態を示す値と、に基づいて決定し、
前記決定された点灯時間を決めるデータに基づいて前記変調信号を出力する、
駆動方法であり、
前記第２の画素群に属する画素の点灯時間を決めるデータを決定する際に、前記第１の画素群の複数の画素の点灯状態を示す値として、前記第１の画素群に属する画素の点灯時間を決める前記データを決定するための演算に基づいて更新された値を用いる
ことを特徴とする画像表示装置の駆動方法。
【請求項７】
前記第１の補正手段若しくは第２の補正手段が出力するデータを用いた補間演算が行われることを特徴とする請求項５に記載の画像表示装置。
【請求項８】
前記第１の補正手段は、
前記第１の画素群に属する画素の点灯時間を決めるデータを、異なる値の複数の基準値のそれぞれに対応付けて出力するものであり、
前記第２の補正手段は、
前記第２の画素群に属する画素の点灯時間を決めるデータを、異なる値の複数の基準値のそれぞれに対応付けて出力するものである
ことを特徴とする請求項５または７に記載の画像表示装置。
【請求項９】
前記第１の補正手段から複数の前記基準値に対応付けて出力された複数のデータを用いて、第１の画素群に属する所定の画素の明るさを指定するデータの値に基づく補間演算が行われる
ことを特徴とする請求項８に記載の画像表示装置。
【請求項１０】
前記第１の補正手段及び前記第２の補正手段から出力された複数のデータを用いて、画素の位置に応じた補間演算が行われる
ことを特徴とする請求項５、７、８または９に記載の画像表示装置。
【請求項１１】
前記第１の補正手段及び前記第２の補正手段は、前記共通配線における信号損失を補償する補正を行ったデータを出力する
ことを特徴とする請求項５、７、８、９または１０に記載の画像表示装置。
【請求項１２】
複数の画素をそれぞれが含む複数の画素群と、
前記複数の画素群に属する複数の画素が共通に接続される共通配線と、
前記複数の画素群に属する複数の画素のそれぞれに接続され、各画素の点灯時間を変調する変調信号を各画素に印加する複数の変調信号配線と、
入力されるデータを補正して出力する補正回路と、
前記補正回路で補正されたデータに基づいて前記変調信号を出力する変調信号出力回路と、
を有しており、
前記補正回路は、
前記変調信号を出力することができる期間内のＭ個の期間を第１から第Ｍの期間とよび
、Ｍを２以上の自然数、ｐを２≦ｐ≦Ｍの自然数、とした場合において、
前記複数の画素群各々の第１の期間における明るさを示す値を前記入力されるデータに基づいて算出し、かつ、第ｐの期間における明るさを示す値を順次算出する算出手段と、
各期間における前記明るさを示す値を各画素群毎に積算する積算手段と、
を有しており、
前記積算によって得た値が所定の値を超えた画素群を判別した結果に基づいて、第ｐの期間における前記明るさを示す値が算出される
ことを特徴とする画像表示装置。
【請求項１３】
複数の画素をそれぞれが含む複数の画素群と、
前記複数の画素群に属する複数の画素が共通に接続される共通配線と、
前記複数の画素群に属する複数の画素のそれぞれに接続され、各画素の点灯時間を変調する変調信号を各画素に印加する複数の変調信号配線と、
を有する画像表示装置の駆動方法であって、
入力されるデータを補正する補正ステップと、
前記補正ステップで補正されたデータに基づいて前記変調信号を出力するステップと、を有しており、
前記変調信号を出力することができる期間内のＭ個の期間を第１から第Ｍの期間とよび、Ｍを２以上の自然数、ｐを２≦ｐ≦Ｍの自然数、とした場合において、
前記補正ステップは、
前記複数の画素群各々の第１の期間における明るさを示す値を前記入力されるデータに基づいて算出するステップと、
前記複数の画素群各々の第ｐの期間における明るさを示す値を順次算出するステップと、
各期間における前記明るさを示す値を各画素群毎に積算するステップと、
を有し、
所定の値を前記積算した値が超えている画素群を判別した結果に基づいて、第ｐの期間における前記明るさを示す値が算出される
ことを特徴とする画像表示装置の駆動方法。
【請求項１４】
前記補正回路は、前記第１の期間から第ｑ−１の期間（ｑは２≦ｑ≦Ｍの自然数）までの積算値が前記所定の値を超えておらず、かつ、前記第１の期間から第ｑの期間までの積算値が前記所定の値を超えた場合に、ｑの値に基づいてデータを出力する
ことを特徴とする請求項１２に記載の画像表示装置。
【発明の詳細な説明】
【技術分野】
【０００１】
本発明は、画像表示装置、及び画像表示装置の駆動方法に関する。
【背景技術】
【０００２】
特許文献１（特開平２−２５７５５３号公報）は、複数の電子放出素子の各々に印加される電圧のばらつきによる該電子放出素子の各々からの放出電子ビーム量のばらつきを補償するために、変調電極の各々へ印加される電圧のパルス幅を制御することを開示する。
【０００３】
特許文献２（特開平８−２４８９２０号公報（ＵＳＰ５，７３４，３６１））は、単純マトリクス状に配置された電子放出素子を用いた画像形成装置を開示する。この画像形成装置は、選択された行配線に接続される冷陰極素子を駆動するためのドライブパルスを複数の列配線のそれぞれに出力する駆動信号発生手段を備えている。この駆動信号発生手段は、各列配線に対応する補正値で補正されたドライブパルスを出力する。
【０００４】
特許文献３（特開２００３−２２３１３１号公報（ＵＳ２００３／０００６９７６Ａ１；ＵＳＰ７，０７９，１６１））は、補正値を算出するためのハードウエアを小さくするため、行配線に複数の基準位置を設け、これに対し補正値を求める構成を開示する。また、基準位置以外の補正値は、基準位置で求められた補正値を補間することにより求めることを開示している。
【特許文献１】特開平２−２５７５５３号公報
【特許文献２】特開平８−２４８９２０号公報
【特許文献３】特開２００３−２２３１３１号公報
【発明の開示】
【発明が解決しようとする課題】
【０００５】
画像表示装置において、電圧降下のような信号損失が生じると表示される画像の質が低下する。補正によって画質の低下を抑制する試みが行われてきているが、さらに精度よく補正を行うことが望まれている。
【０００６】
本発明は、補正精度を向上した画像表示装置を提供することを目的とする。
【課題を解決するための手段】
【０００７】
本発明の第１態様は、
第１の画素及び第２の画素と、
前記第１の画素と前記第２の画素が共通に接続される共通配線と、
前記第１の画素に接続され、第１の画素の点灯時間を変調する変調信号を印加する第１の変調信号配線と、
前記第２の画素に接続され、第２の画素の点灯時間を変調する変調信号を印加する第２の変調信号配線と、
前記第１の画素の点灯時間を決めるデータを前記第１の画素の明るさを指定するデータに基づいて出力する第１の補正手段と、
前記第２の画素の点灯時間を決めるデータを前記第２の画素の明るさを指定するデータに基づいて出力する第２の補正手段と、
前記出力された点灯時間を決めるデータに基づいて前記変調信号を出力する変調信号出力回路と、
を有し、
前記第１の補正手段では、前記第１の画素の明るさの損失を補償する第１の補正が行わ
れ、
前記第２の補正手段では、前記第１の補正によって補正される前記第１の画素の点灯状態を予測して前記第２の画素の明るさの損失を補償する第２の補正が行われる
ことを特徴とする画像表示装置である。
【０００８】
本発明の第２態様は、
第１の画素及び第２の画素と、
前記第１の画素と前記第２の画素が共通に接続される共通配線と、
前記第１の画素に接続され、第１の画素の点灯時間を変調する変調信号を印加する第１の変調信号配線と、
前記第２の画素に接続され、第２の画素の点灯時間を変調する変調信号を印加する第２の変調信号配線と、
を有する画像表示装置の駆動方法であって、
前記第１の画素の点灯時間を決めるデータを前記第１の画素の明るさを指定するデータに基づいて出力するステップと、
前記第２の画素の点灯時間を決めるデータを前記第２の画素の明るさを指定するデータに基づいて出力するステップと、
前記出力される点灯時間を決めるデータに基づいて前記変調信号を出力するステップと、を有し、
前記第１の画素の点灯時間を決める前記データは、前記第１の画素の明るさの損失を補償する第１の補正が行われたデータであり、
前記第２の画素の点灯時間を決める前記データは、前記第１の補正によって補正される前記第１の画素の点灯状態を予測して前記第２の画素の明るさの損失を補償する第２の補正が行われたデータである
ことを特徴とする画像表示装置の駆動方法である。
【０００９】
本発明の第３態様は、
複数の画素と、
前記複数の画素が共通に接続される共通配線と、
前記複数の画素のそれぞれに接続され、各画素の点灯時間を変調する変調信号を各画素に印加する複数の変調信号配線と、
入力されるデータを補正して出力する補正回路と、
前記補正回路で補正されたデータに基づいて前記変調信号を出力する変調信号出力回路と、を備えた画像表示装置であって、
前記補正回路は、
前記変調信号を出力することができる期間内のＭ個の期間を第１から第Ｍの期間とよび、Ｍを２以上の自然数、ｐを２≦ｐ≦Ｍの自然数、とした場合において、
前記複数の画素各々の第１の期間における明るさを示す値を前記入力されるデータに基づいて算出し、かつ、第ｐの期間における明るさを示す値を順次算出する算出手段と、
各期間における前記明るさを示す値を各画素毎に積算する積算手段と、
を有しており、
前記積算によって得た値が前記入力されるデータにより指定された明るさを示す値を超えている画素を判別した結果に基づいて、第ｐの期間における前記明るさを示す値が算出される
ことを特徴とする画像表示装置である。
【００１０】
本発明の第４態様は、
複数の画素と、
前記複数の画素が共通に接続される共通配線と、
前記複数の画素のそれぞれに接続され、各画素の点灯時間を変調する変調信号を各画素
に印加する複数の変調信号配線と、
を有する画像表示装置の駆動方法であって、
入力されるデータを補正する補正ステップと、
前記補正ステップで補正されたデータに基づいて前記変調信号を出力するステップと、を含み、
前記変調信号を出力することができる期間内のＭ個の期間を第１から第Ｍの期間とよび、Ｍを２以上の自然数、ｐを２≦ｐ≦Ｍの自然数、とした場合において、
前記補正ステップは、
前記複数の画素各々の第１の期間における明るさを示す値を前記入力されるデータに基づいて算出するステップと、
前記複数の画素各々の第ｐの期間における明るさを示す値を順次算出するステップと、
各期間における前記明るさを示す値を各画素毎に積算するステップと、を含み、
入力されるデータにより指定された明るさを示す値を前記積算した値が超えている画素を判別した結果に基づいて、第ｐの期間における前記明るさを示す値が算出される
ことを特徴とする画像表示装置の駆動方法である。
【００１１】
本発明の第５態様は、
複数の画素を含む第１の画素群及び複数の画素を含む第２の画素群と、
前記第１の画素群の複数の画素と前記第２の画素群の複数の画素が共通に接続される共通配線と、
前記第１の画素群の複数の画素及び前記第２の画素群の複数の画素にそれぞれ接続され、各画素の点灯時間を変調する変調信号を印加する複数の変調信号配線と、
前記第１の画素群に属する画素の点灯時間を決めるデータを、前記第１の画素群の複数の画素の点灯状態を示す値と、前記第２の画素群の複数の画素の点灯状態を示す値と、に基づく演算を行って出力する第１の補正手段と、
前記第２の画素群に属する画素の点灯時間を決めるデータを、前記第１の画素群の複数の画素の点灯状態を示す値と、前記第２の画素群の複数の画素の点灯状態を示す値と、に基づく演算を行って出力する第２の補正手段と、
該出力された点灯時間を決めるデータに基づいて前記変調信号を出力する変調信号出力回路と、
を有しており、
前記第２の補正手段は、前記第１の画素群の複数の画素の点灯状態を示す値として、前記第１の補正手段における演算に基づいて更新された値を用いる
ことを特徴とする画像表示装置である。
【００１２】
本発明の第６態様は、
複数の画素を含む第１の画素群及び複数の画素を含む第２の画素群と、
前記第１の画素群の複数の画素と前記第２の画素群の複数の画素が共通に接続される共通配線と、
前記第１の画素群の複数の画素及び前記第２の画素群の複数の画素にそれぞれ接続され、各画素の点灯時間を変調する変調信号を印加する複数の変調信号配線と、
を有する画像表示装置の駆動方法であって、
前記第１の画素群に属する画素の点灯時間を決めるデータを、前記第１の画素群の複数の画素の点灯状態を示す値と、前記第２の画素群の複数の画素の点灯状態を示す値と、に基づいて決定し、
前記第２の画素群に属する画素の点灯時間を決めるデータを、前記第１の画素群の複数の画素の点灯状態を示す値と、前記第２の画素群の複数の画素の点灯状態を示す値と、に基づいて決定し、
前記決定された点灯時間を決めるデータに基づいて前記変調信号を出力する、
駆動方法であり、
前記第２の画素群に属する画素の点灯時間を決めるデータを決定する際に、前記第１の画素群の複数の画素の点灯状態を示す値として、前記第１の画素群に属する画素の点灯時間を決める前記データを決定するための演算に基づいて更新された値を用いる
ことを特徴とする画像表示装置の駆動方法である。
【００１３】
本発明の第７態様は、
複数の画素をそれぞれが含む複数の画素群と、
前記複数の画素群に属する複数の画素が共通に接続される共通配線と、
前記複数の画素群に属する複数の画素のそれぞれに接続され、各画素の点灯時間を変調する変調信号を各画素に印加する複数の変調信号配線と、
入力されるデータを補正して出力する補正回路と、
前記補正回路で補正されたデータに基づいて前記変調信号を出力する変調信号出力回路と、
を有しており、
前記補正回路は、
前記変調信号を出力することができる期間内のＭ個の期間を第１から第Ｍの期間とよび、Ｍを２以上の自然数、ｐを２≦ｐ≦Ｍの自然数、とした場合において、
前記複数の画素群各々の第１の期間における明るさを示す値を前記入力されるデータに基づいて算出し、かつ、第ｐの期間における明るさを示す値を順次算出する算出手段と、
各期間における前記明るさを示す値を各画素群毎に積算する積算手段と、
を有しており、
前記積算によって得た値が所定の値を超えた画素群を判別した結果に基づいて、第ｐの期間における前記明るさを示す値が算出される
ことを特徴とする画像表示装置である。
【００１４】
本発明の第８態様は、
複数の画素をそれぞれが含む複数の画素群と、
前記複数の画素群に属する複数の画素が共通に接続される共通配線と、
前記複数の画素群に属する複数の画素のそれぞれに接続され、各画素の点灯時間を変調する変調信号を各画素に印加する複数の変調信号配線と、
を有する画像表示装置の駆動方法であって、
入力されるデータを補正する補正ステップと、
前記補正ステップで補正されたデータに基づいて前記変調信号を出力するステップと、を有しており、
前記変調信号を出力することができる期間内のＭ個の期間を第１から第Ｍの期間とよび、Ｍを２以上の自然数、ｐを２≦ｐ≦Ｍの自然数、とした場合において、
前記補正ステップは、
前記複数の画素群各々の第１の期間における明るさを示す値を前記入力されるデータに基づいて算出するステップと、
前記複数の画素群各々の第ｐの期間における明るさを示す値を順次算出するステップと、
各期間における前記明るさを示す値を各画素群毎に積算するステップと、
を有し、
所定の値を前記積算した値が超えている画素群を判別した結果に基づいて、第ｐの期間における前記明るさを示す値が算出される
ことを特徴とする画像表示装置の駆動方法である。
【発明の効果】
【００１５】
本発明によれば、補正精度を向上できる。
【発明を実施するための最良の形態】
【００１６】
本発明は、複数の画素を駆動して画像を表示する表示装置に好適に適用可能である。本発明は、所定の画素に供給される信号の損失が他の画素の点灯状態に影響を与える構成の表示装置に特に好適に適用可能である。例えば、一つの共通配線に複数の画素が接続され、各画素にそれぞれ変調信号配線が接続される形態において、各画素の点灯状態は他の画素の点灯状態の影響を受ける。より具体的な例としては、複数の画素を複数の走査信号配線（走査信号配線のそれぞれが共通配線に相当）と複数の変調信号配線で線順次にマトリックス駆動する構成を挙げることができる。共通配線である走査信号配線に走査信号を供給し、変調信号配線から変調信号を供給することで、画素が駆動される。このとき、走査信号配線上での信号レベルは走査信号配線上での位置によって異なる。これは、走査信号配線信号に電流が流れることで電圧降下が発生するためである。したがって、信号を供給する位置から離れた位置では電圧降下が大きくなる。すなわち、信号損失が大きい状態となる。走査信号配線に流れる電流の値は各画素の駆動状態によって決まる。各画素の駆動状態は例えば輝度データのような各画素の明るさを指定するデータによって決まるため、信号損失は信号を供給する位置からの距離のみではなく、表示しようとする画像にも依存する。
【００１７】
本発明における画素としては様々な形態のものを用いることができる。例えば、液晶に印加する電圧を制御するＴＦＴ等の素子を用いた画素回路と液晶を組み合わせることで構成される画素や、ＥＬ材料に流す電流を制御するＴＦＴ等の素子を用いた画素回路とＥＬ材料を組み合わせた画素を用いることができる。
【００１８】
なお、複数の異なる色を呈するサブ画素（例えばＲ、Ｇ、Ｂのサブ画素）を組み合わせて一つの画素とすることで多数の色を表現できるようにする構成が知られている。本発明においては、「サブ画素」と複数のサブ画素を組み合わせてなる「画素」とを特に区別しない。したがって、本発明でいう「画素」を、複数の異なる色を呈するサブ画素を組み合わせて一つの画素とする構成における「サブ画素」として用いる構成を、本発明は排除しない。
【００１９】
本実施形態では、電子放出素子と、電子放出素子が放出する電子が照射されることで発光する発光体と、を組み合わせた画素を用いた。
【００２０】
以下では複数の電子放出素子を単純マトリクス駆動する表示パネルを有する画像表示装置の例を示す。単純マトリクス構造では、選択された行配線（走査信号配線）上の電子放出素子に通電する。このような画像表示装置では、通電する電流が同一の行配線を流れることにより、行配線上に電流が集中し、電圧降下が発生する。
【００２１】
以下では電子放出素子として、表面伝導型放出素子を用いる構成を例示している。表面伝導型放出素子はその特徴として行配線上に流れる電流が多く、電圧降下量が大きいため、本願発明を特に好適に適用できる。
【００２２】
以下、図面を参照して、本発明の実施例について説明する。
【００２３】
（実施例１）
本実施例において、表面伝導型放出素子を単純マトリクスに結線した表示パネルを有する画像表示装置と入力画像データに基づき補正画像データを出力する補正回路等について説明する。また、本実施例の駆動回路としては、行配線を線順次に駆動し、少なくともパルス幅を変調した変調パルスを列配線に印加する駆動回路を用いた例について説明する。パルス幅変調（ＰＷＭ）により各画素の点灯時間が制御される。パルス幅変調による点灯時間の制御と合わせて波高値変調（ＰＨＭ）も行い、点灯している時間内での点灯強度を
波高値変調によって制御することで変調可能な階調数を増やしてもよい。ただし、以下では説明をわかり易くするため、波高値変調を組み合わせないパルス幅変調の例を示している。
【００２４】
本実施例において、入力された信号を補正回路により補正して得られる補正画像データを算出し、それを駆動回路に伝送することにより、信号損失である電圧降下の影響を補正する。これにより画像表示装置において好ましい画像を表示することができる。なお、パルス幅変調における電圧降下の影響については、特開２００３−２２３１３１の段落番号００８４〜段落番号００９５（ＵＳ２００３／０００６９７６Ａ１の段落［００９５］〜［０１０７］）に記載されている。
【００２５】
＜＜画像表示装置＞＞
図２は、本実施例の画像表示装置のブロック図である。画像表示装置は、逆γ変換部２０１、補正画像データ算出回路２０２、変調信号出力回路である変調回路２０３、走査回路２０４、表示パネル２０５、高圧電源２０６、タイミング発生回路２０７、表面伝導型放出素子２０８等から構成される。画像表示装置は、映像信号の水平同期HD、及び垂直同期VDを基準にタイミング発生回路２０７で発生されるタイミング信号に基づいて動作する。
【００２６】
逆γ変換部２０１には、画像データＤａｔａが入力される。画像データＤａｔａは簡略化のため単に「Ｄａｔａ」と図２に示したが、カラー画像表示装置における、カラー映像信号R,G,Bに対応し、点順次に逆γ変換部２０１に入力される。
【００２７】
表面伝導型放出素子２０８を用いた表示パネル２０５は、一定のクロックに基づいてパルス幅を変調して駆動をした場合、そのパルスの印加時間に対し、ほぼリニアな輝度を発光する特性を有している。尚、パルス幅変調とは輝度の時間積分値を変調するものである。
【００２８】
逆γ変換部２０１は、表示パネル２０５のリニアな輝度特性に合わせるために、２．２乗のカーブに沿って画像データＤａｔａを変換して画像データＤ１を生成する。そして、逆γ変換部２０１は、輝度に比例した大きさを持つ画像データＤ１を補正画像データ算出回路２０２へ供給する。画像データＤ１が画素の明るさを指定するデータに相当する。
【００２９】
補正画像データ算出回路２０２は、画像データＤ１に基づき補正画像データＤ２を出力する。補正画像データＤ２が画素の点灯時間を決めるデータに相当する。
【００３０】
変調回路２０３は、表示パネル２０５の変調信号配線である列配線に接続されている。この変調回路２０３には、補正画像データ算出回路２０２から補正画像データＤ２が入力され、タイミング発生回路２０７からタイミングデータが入力される。変調回路２０３は入力された補正画像データＤ２に応じて変調信号を発生する。具体的にはクロック信号を補正画像データＤ２が指定する数カウントして変調信号の非オフの時間（オンの時間）を決める。クロック信号の１周期が画素の点灯時間を制御する単位時間（タイムスロット）となる。変調回路２０３は、変調信号を、複数の表面伝導型放出素子２０８のそれぞれに接続された列配線に出力する。
【００３１】
走査回路２０４は、表示パネル２０５の走査信号配線である行配線に接続されている。走査回路２０４は、駆動されるべき表面伝導型放出素子２０８が接続される走査信号配線に選択信号（走査信号）を供給する。一般的に、走査回路２０４は、一行ずつ、順次走査信号配線を選択する、線順次走査を行う。しかし、これに限定されるものではなく、走査回路２０４が飛び越し走査や複数行を同時に選択する構成とすることも可能である。すな
わち、走査回路２０４は、表示パネル２０５に含まれる複数の表面伝導型放出素子２０８のうち駆動対象となる複数の表面伝導型放出素子２０８が接続される行配線に対して所定時間に選択電位を与えて、行選択をする。また、走査回路２０４は、所定時間以外の時間に行配線に対して非選択電位を与えて、行選択をしない。
【００３２】
タイミング発生回路２０７は、変調回路２０３、走査回路２０４及び補正画像データ算出回路２０２へタイミング信号を発生する。
【００３３】
表示パネル２０５は、その内部に表面伝導型放出素子２０８を複数配列する電子源と、電子源に対向するように配置された複数の発光体等とで構成される。
【００３４】
図１３に、共通配線である走査信号配線と、該走査信号配線に接続される複数の画素を構成する複数の表面伝導型放出素子と、複数の変調信号配線と、画素を構成する発光体の模式図を示す。わかり易くするために１行分の画素のみを記載している。
【００３５】
電子放出素子である表面伝導型放出素子１３０４と発光体である蛍光体１３０６によって一つの画素（第１の画素）が構成されている。電子放出素子である表面伝導型放出素子１３０５と発光体である蛍光体１３０７によって一つの画素（第２の画素）が構成されている。
【００３６】
表面伝導型放出素子１３０４と１３０５は一つの共通配線（走査信号配線１３０１）に共通に接続されている。したがって、第１の画素と第２の画素は一つの共通配線に共通に接続されている。
【００３７】
第１の画素への変調信号の供給は変調信号配線１３０２によって行われる。第２の画素への変調信号の供給は変調信号配線１３０３によって行われる。
【００３８】
なお、表面伝導型放出素子が放出する電子が、電子源に対向するように配置された発光体に照射されることで光が生じる。この光の集合で画像が表示される。光の明るさは表面伝導型放出素子からの電子の照射量で制御される。表面伝導型放出素子からの電子の照射量は表面伝導型放出素子に印加される電圧の大きさや印加時間によって制御される。したがって、走査回路２０４から出力される走査信号の電位と変調回路２０３から出力される変調信号の電位との電位差を制御したり、走査信号印加期間内の変調信号の印加時間を制御することで、所望の電子放出量を制御することができる。上述したようにこの実施例では、波高値変調を伴わないパルス幅変調を行っている。
【００３９】
電子源は、複数の表面伝導型放出素子２０８をマトリックス駆動できるように、複数の走査信号配線と複数の変調信号配線とを有している。この走査信号配線に走査信号が印加され、変調信号配線に変調信号が印加される。
【００４０】
高圧電源２０６は、電子源から放出される電子を発光体に誘導するために、発光体側に高圧電圧を供給する。
【００４１】
＜補正画像データ算出回路２０２（本発明の「補正回路」に相当）＞
図１は、補正回路である補正画像データ算出回路２０２を示す概略図である。
【００４２】
補正画像データ算出回路２０２は、点灯パターン算出回路１０１、電圧降下量算出回路１０２、積分回路（アキュームレータ）１０３、比較器１０４、レジスタ１０５、シフトレジスタ１０６等から構成される。
【００４３】
図１において、電圧降下量算出回路１０２、積分回路１０３、比較器１０４、レジスタ１０５で構成されるブロックを輝度積分回路１００と呼ぶ。図１における一番上の輝度積分回路１００が第１の補正手段に相当する。図１における上から２番目の輝度積分回路１００と点灯パターン算出回路１０１とが第２の補正手段に相当する。
【００４４】
輝度積分回路１００は表示パネル２０５の各変調信号配線に対応して配線毎に備えられる。また、タイミングコントローラ１０７は、輝度積分回路１００、点灯パターン算出回路１０１、シフトレジスタ１０６及びスロット数カウンタ１０８を同期する。
【００４５】
タイミングコントローラ１０７は、各変調信号配線ごとの輝度積分回路１００の動作と、後で説明するスロット数カウンタの動作を制御するものである。具体的には、アキュームレータ１０３のクリア及びイネーブル、スロット数カウンタ１０８のクリア及びイネーブルを制御して、各変調信号配線ごとの輝度を積分するタイミング及びタイムスロットを管理する。
【００４６】
電圧降下量算出回路１０２は全変調信号配線の点灯パターンを入力として、変調信号配線Ｉ（column I）における輝度ΔＬ[Ｉ]を算出する回路である。ここで輝度ΔＬ［Ｉ］はＩ番目の画素の所定期間内での明るさを示す値である。輝度ΔＬ［Ｉ］は各期間毎に対応してそれぞれ算出される。なお、補正回路における演算は、変調信号出力回路からの変調信号の出力と同期させる必要はなく、非同期に行うことができる。
【００４７】
電圧降下量算出回路１０２により算出される輝度ΔＬは、以下のように求まる。
【００４８】
点灯パターンと、  走査信号配線、変調信号配線、走査回路２０４、及び、変調回路２０３の出力抵抗と、  表面伝導型放出素子２０８のI−V特性と、を考慮してキルヒホフの法則に基づいて計算する。これにより走査信号配線の各部の電圧降下量（信号損失量）と、各表面伝導型放出素子に印加される電圧を計算する。次に電圧降下量から、電子放出素子の印加電圧対放出電流の特性カーブから、放出電流量を見積もる。さらに蛍光体の特性を考慮することにより、電圧降下量算出回路１０２に格納する輝度ΔＬを求める。
【００４９】
なお、これらの計算は複雑なので、あらかじめ複数の点灯パターンについて計算した結果をメモリに格納することにより、簡単化できる。
【００５０】
スロット数カウンタ１０８は、スロットに同期して輝度を順次積分する際に何回積分されたかを示すスロット数をカウントする。例えば、スロット数カウンタ１０８は、１回目のタイミングで輝度が積分されたときスロット数を「１」とカウントし、２回目のタイミングで輝度が積分されたときスロット数は「２」とカウントする。
【００５１】
＜補正画像データ算出回路２０２の動作＞
次に、図３を参照して、図１の補正画像データ算出回路２０２の動作を説明する。図３は、本実施例の画像表示装置の補正画像データ算出回路２０２の動作を示すフローチャートである。図１の補正画像データ算出回路２０２では複数の輝度積分回路１００により並列処理が行われる部分があるが、図３のフローチャートでは記述上の都合から一部順序処理で示している。
【００５２】
＜点灯パターン算出回路１０１＞
点灯パターン算出回路１０１は、ある時間における点灯パターンを作成するための回路である。尚、点灯パターンとは各変調信号配線への電圧の印加状態をいう。点灯パターンは、例えば、４本の変調信号配線に接続された表示素子の全部を点灯（ＯＮ状態）する場合、（１、１、１、１）のように表わされる（「１」はＯＮを示し、「０」はＯＦＦを示
す）。
【００５３】
本実施形態では、点灯時間を短くする補正は行わないので、第１の期間（タイムスロットＴ＝０の期間）に関しては、補正された後の点灯状態を予測する必要はない。したがって、第１の期間の点灯状態は、入力される画像データから決定することができる。第２の期間以降の各期間に関しては、各表示素子の点灯状態が補正の影響を受け得るので、入力される画像データのみによって点灯状態を設定することは好ましくない。したがって、本実施形態では、補正された後の各表示素子の点灯状態を予測して、その予測された点灯状態を次の補正演算に利用する。このような処理が可能になるように、点灯パターン算出回路１０１に設定される点灯パターンを補正演算の結果に基づいて書き換えられるように構成している。なお、実際の変調信号の印加は、この補正回路における演算が完了した後に行われるので、補正の演算の段階では補正の結果が反映された点灯は行われているわけではない。以下では手順を順に説明する。
【００５４】
一水平走査期間分の画像データＤ１がとりこまれると、点灯パターン算出回路１０１は、画像データＤ１を解析し、タイムスロットＴ＝０の時点での点灯パターンを計算する。点灯パターン算出回路１０１は、変調信号配線がＮ本ある場合、一つ目の変調信号配線０から変調信号配線Ｎ−１までの点灯パターンを画像データＤ１に基づき作成する。図３に示すフローチャートでは変調信号配線０から変調信号配線Ｎ−１までのＮ本の変調信号配線について、点灯パターンを計算する（Ｓ１〜Ｓ４）。尚、ステップＳ２において、走査信号配線Ｉにおける積分された輝度値（Ｌ［Ｉ］）を「０」に設定し、走査信号配線Ｉにおける補正画像データの値（ＣＤｄａｔａ［Ｉ］）を「０」に設定している。
【００５５】
ステップＳ３において、Ｔ＝０のときの変調信号配線Ｉの表示素子の点灯状態を作成する（Ｓ３）。
【００５６】
変調信号配線Ｉに対する画像データＤ１［Ｉ］について、
Ｄ１［Ｉ］＞０であれば、表示素子を点灯、
Ｄ１［Ｉ］＝０であれば、表示素子を非点灯  （ただしＩ＝０,  １,  …、Ｎ−１）
とする。すなわち第１の期間においては、画像データが０である画素は非点灯に設定され、画像データが０よりも大きい画素は点灯として設定される。なお、ここで点灯、非点灯に設定するのは以下の演算を行うための設定であり、この時点ではまだここでの補正の結果を反映したデータによる駆動はなされていない。
【００５７】
＜輝度積分回路１００＞
タイムスロットＴ＝０の時点での点灯パターンが変調信号配線０〜変調信号配線Ｎ−１について計算されると、この点灯パターンは各変調信号配線毎に設けられた輝度積分回路１００の中の電圧降下量算出回路１０２に入力される。輝度積分回路１００は、タイムスロットがＭ個とした場合に一つ目のタイムスロット０からＭ個目のタイムスロットＭ−１までタイムスロット数をカウントしながら演算を行う（Ｓ５、Ｓ１４）。ここで、Ｍ個のタイムスロットが選択期間内のＭ個の期間に相当する。なおＭは２以上の自然数である。
【００５８】
ステップＳ６からＳ１３において、
・該当期間（第ｐの期間に相当）における電圧降下の影響を考慮した輝度ΔＬの算出、
・該輝度ΔＬとその前の期間までの輝度ΔＬの積分値との加算（積算）、
・加算した結果（積算値）が入力データ（画素の明るさを指定するデータ）を超えたか否かの判別、
・超えた場合の点灯状態の書き換え、
を行う。
【００５９】
ステップＳ７は図１の電圧降下量算出回路１０２の動作に相当する。ステップＳ８は図１の積分回路１０３に相当し、ステップＳ９は図１の比較器１０４に相当する。尚、図１におけるブロック図では複数の輝度積分回路１００が並列動作にて各変調信号配線毎に補正画像データを求めている。図３のフローチャートでは記述上の都合から補正画像データを求める処理をループ処理（Ｓ６、Ｓ１３）で示している。ループ演算によるシリアル処理、若しくは複数の回路ブロックを使った並列処理のいずれでも本発明は実施可能である。
【００６０】
＜電圧降下量算出回路１０２＞
電圧降下量算出回路１０２は全変調信号配線の点灯パターンを参照し、変調信号配線Ｉにおける輝度ΔＬ［Ｉ］を算出する（Ｓ７）。電圧降下量算出回路１０２は、同じ点灯パターンを参照しても各変調信号配線毎に異なる輝度量を算出する。各変調信号配線毎に行配線方向の電圧降下量が異なるためである。
【００６１】
尚、輝度ΔＬは、その点灯パターンで駆動されたときに選択されている走査信号配線上の電圧降下の大きさと、表面伝導型放出素子の印加電圧  対  エミッション電流（放出電流）の特性と、表示パネルに設けられている蛍光体の特性などにより、決まる量である。
【００６２】
電圧降下量算出回路１０２が、電圧降下の大きさを点灯パターンに対し毎回計算してもよいが、あらかじめ計算されているテーブルを参照するようにしてもよい。
【００６３】
輝度ΔＬ［Ｉ］が計算されると、電圧降下量算出回路１０２は計算結果を積分回路１０３に出力する。
【００６４】
第１の期間においては、入力される画像データによって設定される点灯状態に基づいて輝度ΔＬ（その期間における明るさを示す値）が算出される。第２の期間以降の各期間においては、入力される画像データによって設定された点灯状態が、以下の演算結果に応じて更新された点灯状態（ただし以下の演算の結果によっては更新されていない場合もありうる）に基づいて輝度ΔＬが算出される。
【００６５】
＜積分回路１０３＞
積分回路１０３は、タイミングコントローラ１０７からのタイミング信号に同期し、スロット数カウンタ１０８のカウントアップにあわせて、輝度ΔＬ［Ｉ］を順次積分し、積分された輝度Ｌ（本発明の「積算によって得た値」に相当）を順次出力する（Ｓ８）。即ち、積分回路１０３は、電圧降下量算出回路１０２が算出した値（輝度ΔＬ［Ｉ］）をタイミング毎に順次積算して輝度Ｌを順次出力する。即ち、積分回路１０３は、電圧降下量算出回路１０２が算出した値を時間積分して積算値を算出する。積分回路１０３は各期間における輝度ΔＬを順次積算していくが、積算値が画像データを超えた期間以降の当該画素に対応する輝度ΔＬは０になるので、その期間以降は当該画素に関しては積算を停止するように構成してもよい。
【００６６】
積分回路１０３は積分された輝度Ｌを比較器１０４に出力する。
【００６７】
＜比較器１０４＞
比較器１０４は、各変調信号配線に対応した画像データＤ１のＤａｔａ［Ｉ］（画素の明るさを指定するデータの値に相当）と、積分された輝度Ｌ［Ｉ］を、各期間における輝度ΔＬが算出されてその前の期間までの積算値にさらに積算される毎に比較する（Ｓ９）。ある期間（第ｑの期間に相当）までの輝度ΔＬを積算した値が画像データを超えた場合、ここでの補正演算の結果を補正演算を行うための条件に反映させるために、点灯パターンを更新する。ただし、その前の期間（第ｑ−１の期間に相当）までの積算値は画像デー
タを超えていないことを前提とする。そのために比較器１０４は、積分された輝度Ｌ［Ｉ］がＤａｔａ［Ｉ］と同じかＤａｔａ［Ｉ］より大きい場合（Ｙｅｓ）、出力Carry[Ｉ]
を「High」にする（Ｓ１０）。なおここでは、積算した値が画像データの値と同じか若しくはそれよりも大きい値になった場合に、「超えた」、という判定を行うようにした。ただし、積算した値が画像データの値よりも大きい値になった場合に「超えた」という判定を行うようにしてもよい。
【００６８】
Carry[Ｉ]が「High」になると、レジスタ１０５は、そのときのスロット数カウンタ１
０８の値（ＣＤａｔａ［Ｉ］）を補正画像データ（本発明の「補正手段が出力するデータ」に相当）として保持する（Ｓ１０）。また、比較器１０４は、Carry[Ｉ]が「High」で
あることを示す信号を点灯パターン算出回路１０１にも出力する。点灯パターン算出回路１０１は、Ｉ番目の変調信号配線の点灯パターンをＯＦＦ状態（ＯＮ［Ｉ］＝０）に更新する（Ｓ１１）。画像データを積分された輝度が超えたことを比較器１０４で判別し、その結果に基づいて点灯状態が更新される。この更新された点灯状態に基づいてそれ以降の期間の輝度ΔＬが算出される。
【００６９】
比較器１０４は、積分された輝度Ｌ［Ｉ］がＤａｔａ［Ｉ］より小さい場合（Ｓ９のＮｏ）、点灯パターン算出回路１０１は、Ｉ番目の変調信号配線の点灯パターンをＯＮ状態（ＯＮ［Ｉ］＝１）を維持する（Ｓ１２）。
【００７０】
ステップＳ５〜Ｓ１４の動作を順次繰り返し、すべての変調信号配線に対応する回路について、Carry[Ｉ]が「High」になった場合、その水平走査期間の補正画像データがレジ
スタ１０５にすべて格納される。
【００７１】
レジスタ１０５は、１水平走査期間のすべての変調信号配線の補正画像データが確定すると、シフトレジスタ１０６へパラレルに補正画像データを出力する。
【００７２】
シフトレジスタ１０６はタイミング発生回路２０７からのタイミング信号（シフトクロックsft_clk,ロードload,シフトイネーブルsft_en）に基づいてパラレルに入力された補
正画像データをシリアル化する。シリアル化した補正画像データＤ２は変調回路２０３へ出力する。
【００７３】
変調回路２０３は、補正画像データＤ２が入力されると、各変調信号配線に補正画像データＤ２に対応したパルス幅の変調信号を出力する。走査回路２０４はタイミング発生回路２０７からのタイミング信号に基づいて、変調信号に同期して各走査信号配線に選択信号を出力する。
【００７４】
＜＜簡略化した補正画像データ算出回路２０２＞＞
次に非常に簡単化した例を用いて本実施例の補正画像データ算出回路の動作例を説明する。実際、画像表示装置の変調信号配線は数百〜数千本あるが、ここでは説明を簡単化するために４本としている。
【００７５】
図４は、本実施例の画像表示装置の補正画像データ算出回路２０２の構成例を表わした図である。
【００７６】
ある１水平走査期間において、各変調信号配線の画像データＤ１が４、８、１６、１２である例について説明する。画像データＤ１が入力されると、点灯パターン算出回路１０１は、タイムスロットＴ＝０の時での点灯パターンを算出する。画像データＤ１はすべての変調信号配線がＯＮ状態（４、８、１６、１２のすべてが０より大）すなわち、点灯パターン（１、１、１、１）となる。ここで、点灯パターンは、左から順に変調信号配線０
〜３の点灯状態に対応する。
【００７７】
点灯パターンが入力されると、電圧降下量算出回路１０２は入力された点灯パターンに対する輝度を算出する。電圧降下量算出回路１０２は、電圧降下がない状態の輝度ΔＬを「１」として、電圧降下量を考慮して点灯パターンに対する輝度ΔＬの大きさを算出する。第１の期間においては、画像データによって設定される上記点灯パターンに基づいて輝度ΔＬが算出される。第ｐの期間（ｐは２から順にインクリメントされる）においては、以下の演算によって更新された点灯パターンに基づいて輝度ΔＬが算出される。
【００７８】
積分回路１０３は、スロット数カウンタのカウントアップに対応して輝度を順次積分し、各タイムスロットに対応した輝度量（積算値）を順次算出する。
【００７９】
比較器１０４は、変調信号配線毎の画像データの値（４、８、１６、１２）と、積分された輝度量をタイミング毎に比較する。
【００８０】
図５Ａ、図５Ｂは変調信号配線毎の画像データの値（本発明の「画素の明るさを指定するデータの値」に相当）と積算値とを比較する例を示す模式図である。図５Ａ、図５Ｂを参照して、補正画像データが算出される手順について説明する。
【００８１】
図５Ａにおいて、入力データＤ１［０］からＤ１［３］までに対応する各棒グラフの横軸（紙面の横方向）は時間を示す。各棒グラフは図５Ｂにしめす各期間（タイムスロット）に対応する矩形を横につなげた形状になっている。各矩形の縦軸方向（紙面の縦方向）の大きさは、その期間の明るさとして期待される輝度を示している。本実施形態では、期待される輝度とは電圧降下がない状態を想定した輝度で有り、ここでは「１」としている。各矩形において上部のドット部分は、信号損失による輝度の損失を示している。ここでは電圧降下による輝度の損失である。白色の部分は電圧降下を考慮して実際に得られる輝度として算出される輝度ΔＬを示す。また斜線の部分はこの補正計算によりパルスの長さを伸張したことにより補われた輝度に相当する。
【００８２】
変調信号配線０から３に対応する画像データＤ１が４、８、１６、１２であるとして以下説明する。
【００８３】
変調信号配線０に接続される画素に対応して入力される画像データＤａｔａ［０］の値が「４」である。
【００８４】
補正がされない場合では、４タイムスロット分だけ駆動を行い、そこで駆動が終わる。しかし、実際には電圧降下の影響があるため、１タイムスロット分の輝度は表示素子に要求される明るさを示す値「１」にならずに低下する（図のドット部分）。積分回路１０３はこの輝度が低下した状態の輝度量を積分する。すなわち矩形において白色の部分の大きさを各期間毎に算出し、それらを積算していく。白色の部分の大きさは電圧降下量算出回路が設定された点灯パターンに応じて算出する。点灯パターンは第１の期間においては画像データに基づいて設定されたものを用いる。比較器１０４は積分された輝度量と画像データ（＝４）を比較し、積分された輝度が４以上になったタイムスロット（図５Ａでは７スロット）においてCarry[０]を「High」にする。積算された値が指定された輝度４を超
えた期間の番号をここでは補正画像データとしてそのまま使うことができるので、これにより変調信号配線０の補正画像データは「７」となる。
【００８５】
点灯パターン算出回路１０１はCarry[０]が「High」になると、次のタイムスロットか
ら、点灯パターンを更新する。図５Ａでは、点灯パターンは（１、１、１、１）から（０、１、１、１）に変化する。点灯パターンが更新されると走査信号配線における電圧降下
量が変化する。尚、パルス幅変調における電圧降下の影響については、特開２００３−２２３１３１号公報の段落番号００８４〜段落番号００９５（ＵＳ２００３／０００６９７６Ａ１の段落［００９５］〜［０１０７］）に記載されている。
【００８６】
図５Ａの変調信号配線１〜３において、タイムスロット７までの電圧降下量とタイムスロット８以降の電圧降下量が変化する。点灯パターンが（０、１、１、１）になると、電圧降下量が減少する。即ち、電圧降下による走査信号配線上の電位の上昇が低下し、変調信号配線１〜３に対応する表示素子の輝度ΔＬがそれまでの期間に比べて大きくなる。図５Ａにおいて、ドット部分が減少し、輝度ΔＬが上昇することを示している。タイムスロット８以降では、更新された点灯状態に基づいて輝度ΔＬの算出を行う。更新された点灯状態に基づく算出を行うことで、補正された点灯状態を予測した補償を行うことが可能となる。
【００８７】
以降も順次、輝度ΔＬの算出、積算、比較を行う。図５Ａでは、タイムスロットが「１１」となった時点で変調信号配線１の輝度量が、その画像データ（＝８）以上になっている。これにより、変調信号配線１の補正画像データは「１１」に決まり、Carry[１]がHighとなる。
【００８８】
点灯パターン算出回路１０１はCarry[１]が「High」になると、次のタイムスロットか
ら、点灯パターンを更新する。図５Ａでは、点灯パターンは（０、１、１、１）から（０、０、１、１）に変化する。点灯パターンが更新されると走査信号配線における電圧降下量が変化する。
【００８９】
次に、タイムスロットが「１６」となった時点で変調信号配線３の輝度量が、その画像データ（＝１２）以上になる。これにより、変調信号配線３の補正画像データは「１６」に決まり、Carry[３]がHighとなる。
【００９０】
点灯パターン算出回路１０１はCarry[３]が「High」になると、次のタイムスロットか
ら、点灯パターンを更新する。図５Ａでは、点灯パターンは（０、０、１、１）から（０、０、１、０）に変化する。点灯パターンが更新されると走査信号配線における電圧降下量が変化する。
【００９１】
次に、タイムスロットが「２２」となった時点で変調信号配線２の輝度量が、その画像データ（＝１６）以上になる。これにより、変調信号配線２の補正画像データは「２２」に決まり、Carry[２]がHighとなる。
【００９２】
点灯パターン算出回路１０１はCarry[２]が「High」になると、次のタイムスロットか
ら、点灯パターンを更新する。図５Ａでは、点灯パターンは（０、０、１、０）から（０、０、０、０）に変化する。そして、点灯パターンが（０、０、０、０）となると、補正データの算出が終了する。
【００９３】
以上のようにして、各変調信号配線への入力画像データＤ１（４、８、１６、１２）に対し、補正画像データＤ２（７、１１、２２、１６）が決定される。
【００９４】
補正画像データ算出回路２０２は、決定された補正画像データＤ２を変調回路２０３に出力する。変調回路２０３は、入力された補正画像データに基づきパルス幅変調を行い、駆動信号を表示パネル２０５へ出力する。表示パネル２０５は、実際に走査信号配線に発生する電圧降下の影響を減少した画像を表示できる。
【００９５】
図４、図５Ａで説明した例は、非常に簡単化した例である。しかし、現実に使用される
表示パネルにも適用可能である。本発明の実施例によれば、入力画像データに対し、補正画像データを算出することにより、電圧降下の変化も考慮することができ、精度よく補正を行うことができる。また、補正を行った結果として、表示パネルは、電圧降下の影響の少ない良好な画像を表示できる。
【００９６】
＜変形例＞
なお、本実施形態では、パルス幅変調信号のパルス幅を制御する単位時間と同じ時間幅を輝度ΔＬを算出する各期間の時間幅として設定し、かつ、パルス幅変調信号のパルス幅を制御する単位時間は常に一定である構成としているが、これに限るものではない。例えば、パルス幅変調信号のパルス幅を制御する単位時間、及び／若しくは輝度ΔＬを算出する各期間の時間幅は不均等にすることもできる。時間につれてその時間ステップを変更してもかまわない。たとえば低階調に相当する部分のタイムスロット幅を短く、高階調に相当する部分のタイムスロット幅を長く設定してもよい。このように時間ステップを変更した場合には、輝度を積分する際にこのタイムスロット幅に応じた積分を行うようにすればよい。スロット数カウンタのカウントアップもそれに応じて変更するようにする。
【００９７】
図９は、タイムスロット幅を不均等にする処理を説明するための図である。
【００９８】
まず、図３と同様に、点灯パターン算出回路１０１は、画像データＤ１を解析し、点灯パターンを算出する（Ｓ１〜Ｓ４）。
【００９９】
続いて、タイムスロットＴ=０とし、図９のWhileループで記載されたループ計算を順次行う（Ｓ９２〜Ｓ９４）。
【０１００】
まず、積分回路１０３が積分計算を行う際のタイムスロット幅ΔＴの選択が行われる。一番大きいタイムスロット値をＭとすると、図９のステップＳ９３に示すように、
タイムスロット幅ΔＴ  を  
０≦Ｔ＜０.２５Ｍの範囲では、  ΔＴ＝０．２５
０.２５≦Ｔ＜０.５Ｍの範囲では、  ΔＴ＝０．５
０.５Ｍ≦Ｔ＜Ｍの範囲では、  ΔＴ＝１．０
と選択する（Ｓ９３）。
【０１０１】
次に、積分回路１０３は、各変調信号配線に対し、積分計算を行うが、本変形例は図３と異なり、アキュームレートを行う際に輝度ΔＬにタイムスロット幅を乗算し、乗算後の輝度ΔＬを積分する。
【０１０２】
なお、タイムスロット幅ΔＴを０．２５、０．５などのように、２−Ｎ（Ｎ＝０,１,２…の整数）に選べば、この乗算はビットシフト演算になるため、計算を簡略化できる。
【０１０３】
更に、積分された輝度が入力画像データよりも大きくなったかを比較し、図３と同じように、点灯パターンON[I]及び、キャリーを発生させ補正データを算出する（Ｓ９〜Ｓ１
１）。
【０１０４】
また、本変形例は、図３と異なり、タイムスロットＴをカウントする際に、タイムスロット幅ΔＴだけ加算する点にある。
【０１０５】
このようにタイムスロット幅を変えることにより、積分を行うステップ数を減少できたり、補正回路のクロック周波数を低減できたりするという別の効果が得られる。また、人間の視覚特性は、輝度の大きさに対して、低階調ほど分解能が高くなり、高階調になると分解能が低くなる傾向がある。このような点を考えれば補正の誤差という観点でも、時間
ステップを不均等にしたほうが、均等に同じステップ数を計算する場合より、優れた効果が得られる。
【０１０６】
また、比較器１０４は、積分した輝度が、入力画像データ以上となることを検出していたが、これに限られない。例えば、積分した輝度が画像データよりも大きくなることを検出してもよいし、積分した輝度が画像データよりも所定の量だけ大きくなったことを検出してもよい。
【０１０７】
（実施例２）
実施例１では図１に示したように、輝度積分回路１００をすべての変調信号配線に対応して備えていた。これに対し本実施例では複数の変調信号配線に毎にブロック化して補正画像データを計算する構成について説明する。複数の変調信号配線対応する入力画像データの補正画像データをブロック毎に算出する構成である。より具体的に言うと、共通配線に接続される複数の画素を、それぞれが複数の画素で構成される複数の画素群にわけ、画素群内の画素に対応する補正画像データを得るために用いる補正データを画素群ごとに算出する構成を以下では採用している。また、信号損失を評価するためのデータ、若しくは信号損失を受けた後の各期間の輝度を評価するためのデータとして、画素群に属する複数の画素の点灯状態を示す代表値を用いる構成を以下では採用している。
【０１０８】
尚、本実施例において特に説明していない部分は、実施例１と同様である。
【０１０９】
＜＜画像表示装置＞＞
図７は、本実施例の画像表示装置のブロック図を表わした図である。画像表示装置は、逆γ変換部７０１、ＦＩＦＯメモリ７０２、離散補正画像データ算出回路７０３、２軸補間回路７０４、変調回路７０５、表示パネル７０６、走査回路７０７、高圧電源７０８、各部を同期化させるタイミング発生回路７０９等から構成される。
【０１１０】
画像表示装置は、映像信号の水平同期HD、及び垂直同期VDを基準にタイミング発生回路７０９で発生されるタイミング信号に基づいて動作する。
【０１１１】
逆γ変換部７０１には、画像データＤａｔａが入力される。画像データＤａｔａは簡略化のため単に「Ｄａｔａ」と図７に示したが、カラー画像表示装置における、カラー映像信号R,G,Bに対応し、点順次に逆γ変換部７０１に入力される。逆γ変換部７０１は、入
力画像データＤａｔａに逆γ変換を施す。逆γ変換部７０１は、逆γ変換された画像データを離散補正画像データ算出回路７０３に出力する。
【０１１２】
本実施例では走査信号配線に「複数の基準位置」を設定している。一つの基準位置に一つの画素群（一つのブロック）が対応する。各ブロックにおいて基準位置に対応する補正画像データを離散的に算出する。各基準位置は、複数の変調信号配線をブロック化した際に各ブロックを代表する変調信号配線の位置に相当する。また、離散補正画像データ算出回路７０３は、画像データの大きさの方向に対しても、「複数の離散的な画像データ基準値（複数の基準値に相当）」を設定し、該画像データ基準値に対する離散的な補正画像データＣＤを算出する。離散補正画像データ算出回路７０３は、離散的な補正画像データＣＤを２軸補間回路７０４に出力する。
【０１１３】
２軸補間回路７０４は、離散的な補正画像データＣＤが入力されると、離散的な基準位置と、離散的な画像データ基準値に対して計算された補正画像データを画面の水平方向と、データの大きさ方向との２軸に渡り補間する。尚、補間方法については、任意の補間方法を採用できる。例えばその補間方法の一例が特開２００３−２２３１３１の図２２、段落番号０２１０〜段落番号０２１８及び段落番号０２９０〜段落番号０２９４（ＵＳ２０
０３／０００６９７６Ａ１のＦＩＧ．２２、段落［０２４１］〜［０２５０］、［０３３２］〜［０３３６］）に記載されている。
【０１１４】
２軸補間回路は、ＦＩＦＯメモリ７０２から送られてくる画像データと、水平表示位置を参照し、後述する補間演算をおこなって、各画素に対応した補正画像データを算出する。
【０１１５】
なお、ＦＩＦＯメモリ７０２は、離散補正画像データ算出回路７０３での計算時間を吸収するために設けられている。ＦＩＦＯメモリ７０２により遅延された画像データと、離散補正画像データ算出回路７０３で算出された補正画像データは、同期化され２軸補間回路に入力される。ＦＩＦＯメモリ７０２のRead/Writeなどの制御はタイミング発生回路７０９からのタイミング信号（不図示）により制御される。
【０１１６】
このようにして算出された補正画像データＣＤは変調回路に入力され、各変調信号配線には補正画像データにしたがって変調信号が供給される。
【０１１７】
以上、図７を用いて、画像表示装置における信号の全体的な流れを説明した。
【０１１８】
＜＜離散補正画像データ算出回路７０３（本発明の「補正回路」に相当）＞＞
次に本実施例の離散補正画像データ算出回路７０３について詳しく説明する。図６は本実施例の画像表示装置の離散補正画像データ算出回路７０３の構成を表わした図である。離散補正画像データ算出回路７０３は、ブロック点灯パターン算出回路６０１、電圧降下量算出回路６０２、積分回路６０３、比較器６０４、比較値用レジスタ６０５、ポインタ６０６、各部を同期させるタイミングコントローラ６０７、スロット数を計数するスロット数カウンタ６０８から構成される。尚、ブロック輝度積分回路６００は、電圧降下量算出回路６０２、積分回路６０３、比較器６０４、比較値用レジスタ６０５、ポインタ６０６から構成される。また、ここでいうブロックとは、複数の変調信号配線の束としてグループ化して定義される。本実施例では複数の変調信号配線を４つのブロックに分割した。図６において一番上のブロック輝度積分回路６００（ＢＬＯＣＫ１）が第１の補正手段に相当する。上から２番目のブロック輝度積分回路（ＢＬＯＣＫ２）が第２の補正手段に相当する。
【０１１９】
また、図８は本実施例の画像表示装置の離散補正画像データ算出回路７０３の動作を示すフローチャートである。図８のフローチャートでは記述上の都合から一部を順序処理で示している。
【０１２０】
＜ブロック点灯パターン算出回路６０１＞
ブロック点灯パターン算出回路６０１は一つの走査信号配線に接続される複数の画素を４つのブロックに分け、各ブロック内の画素の点灯状態を評価して、各ブロック内の画素の点灯状態を反映した一つの値をブロック毎に設定する。実施例１では、点灯パターンを各画素の点灯状態をＯＮとＯＦＦの１ビットとして点灯パターンを表した。すなわち、実施例１では画素毎の点灯状態を示す情報×画素数のデータ（１ビット×画素数）で点灯パターンを示した。一方本実施例ではブロック内の複数の画素の点灯状態を示す情報×ブロック数のデータで点灯パターンを表わす。具体的には本実施例では各ブロックの点灯状態をブロック内の画素の点灯割合（ブロックに含まれる表示素子中のＯＮ素子の割合）に比例した、３ビットの値で表す。すなわち、本実施例では３ビット×ブロック数のデータで点灯パターンを表す。
【０１２１】
一水平走査期間分の画像データＤＤ１が入力されると、ブロック点灯パターン算出回路６０１は、画像データＤＤ１を解析し、タイムスロットＴ＝０の時点での点灯パターンを
計算する。ブロック点灯パターン算出回路６０１は、ブロックがＮＢ個ある場合に一つ目のブロック０からブロックＮＢ−１までの各ブロックの点灯パターンを画像データＤＤ１に基づき作成する。図８に示すフローチャートではブロック０からブロックＮＢ−１までのＮＢ個のブロックについて、画像データ基準値ＤＴＨ［Ｊ］以上の画像データの数を求める（Ｓ２１〜Ｓ２６）。尚、ステップＳ２２においては、各ブロックにおける積分された輝度値（Ｌ［Ｉ］）を「０」に設定し、ブロックＩのＪ番目の画像データ基準値ＤＴＨ［Ｊ］に対する補正画像データの値（ＣＤａｔａ［Ｉ］）を「０」に設定している。画像データ基準値ＤＴＨは各ブロックにＫ個（Ｋは１以上の整数）設けられている。一つ目の画像データ基準値ＤＴＨ［０］から画像データ基準値ＤＴＨ［Ｋ−１］まで、画像データ基準値ＤＴＨ［Ｊ］以上の画像データの数を求める。即ち、ブロック点灯パターン算出回路６０１は、画像データを参照してブロック毎の画像データのヒストグラムを算出する（Ｓ２４）。ブロック点灯パターン算出回路６０１は、ヒストグラムを求めるために、各ブロック毎に、各々の画像データ基準値以上の変調信号が含まれる割合を計数し、それを３ビットの値（２進で０から７）に変換する。ブロック点灯パターン算出回路６０１は、４×３ビットの計１２ビットで表記された点灯パターンの値を電圧降下量算出回路６０２へ出力する。図１２は、ある１水平走査期間の画像データに対し算出されたヒストグラムの例を示す。なおブロック内の画素の点灯状態を示す値としてはブロックに含まれる画素の点灯割合に限るものではなく、点灯画素の数、非点灯画素の数、ブロックに含まれる画素に対応する画像データの積算値等種々の値を採用することができる。
【０１２２】
＜電圧降下量算出回路６０２＞
電圧降下量算出回路６０２は、入力された１２ビットの点灯パターンに応じて、各ブロックの輝度ΔＬを算出する。電圧降下量算出回路６０２は、ブロック化しない状態の、ブロックの中央の基準位置における輝度ΔＬ（画素群の明るさを示す値）の値として輝度ΔＬを算出する（Ｓ２９）。即ち、基準位置は、各ブロックの中央に位置する。また、基準位置に対して算出される値はブロック化しない場合の同じ空間位置に対応する。実施例１と同様に第１の期間においては、入力される画像データに基づいて上述のように決められる点灯パターンに基づいて輝度ΔＬが算出される。第２の期間以降は、その前までの輝度ΔＬの積算結果に基づく点灯パターンの更新があれば、更新された点灯パターンに基づく輝度ΔＬが算出される。
【０１２３】
本実施例において、電圧降下量算出回路６０２には、予めパラメータが設定されたメモリを使用する。そして、電圧降下量算出回路６０２は、点灯パターンが入力されると、そのブロックの輝度ΔＬ［Ｉ］を積分回路６０３へ出力する。
【０１２４】
例えば、図１２に記載の点灯パターン（７、７、７、７）が入力されると、該点灯パターンに基づいてブロック０の電圧降下量算出回路６０２は、ブロック０の輝度を算出する。そして。電圧降下量算出回路６０２は、ブロック０の輝度を積分回路６０３に出力する。
【０１２５】
＜積分回路６０３＞
積分回路６０３は、タイミングコントローラ６０７からのタイミング信号に同期し、スロット数カウンタ６０８のカウントアップにあわせて、輝度ΔＬ［Ｉ］を順次積分し、積分された輝度Ｌ（本発明の「積算によって得た値」に相当）を順次出力する（Ｓ３０）。積分回路６０３は積分された輝度Ｌを比較器６０４に出力する。積分回路６０３は各期間における輝度ΔＬを順次積算していくが、積算値が画像データを超えた期間以降の当該ブロックに対応する輝度ΔＬは０になるので、その期間以降は当該ブロックに関しては積算を停止するように構成してもよい。
【０１２６】
＜比較器６０４＞
比較器６０４は、積分された輝度Ｌ［Ｉ］と、画像データ基準値ＤＴＨ［ＰＯＩＮＴ［Ｉ］］をタイミング毎に比較する（Ｓ３１）。比較器６０４は、積分された輝度Ｌ［Ｉ］が画像データ基準値ＤＴＨ［ＰＯＩＮＴ［Ｉ］］以上となったとき（Ｙｅｓ）、Carry［
Ｉ］を「High」にする（Ｓ３１）。
【０１２７】
Carry［Ｉ］が「High」となると、ポインタ６０６はポインタを１つ進め、比較値用レ
ジスタ６０５の値が１つ変化する（Ｓ３３）。比較値用レジスタ６０５には、画像データに対し設定された画像データ基準値が記録されており、ポインタが変化すると、次の画像データ基準値が比較器へ入力される。ポインタの値は積分を開始する時点でリセットされ、比較器６０４には次に一番小さい画像データ基準値が入力される。
【０１２８】
例えば、比較値レジスタには、初期値として画像データ基準値「４」が設定されている。そして、ブロック０の積分された輝度Ｌ［０］が画像データ基準値「４」より大きくなると、Carry［０］を「High」にする。Carry［０］が「High」となると、ポインタ６０６はポインタを１つ進める。比較値用レジスタ６０５は、画像データ基準値に「８」を設定する（Ｓ３３）。また、Carry［０］を「High」にすると、点灯パターンは「６、７、７
、７」となる。尚、ポインタが１つ進むことにより、比較値レジスタの出力する値ｖａｌが更新されるため、Carry［０］が「low」になる。
【０１２９】
尚、あるブロックのCarryがHighとなった時点は、そのブロックの、その時点における
比較対象とした画像データ基準値に対する補正画像データが、その時点のスロット数カウンタのカウント値であることを示している。この補正画像データはブロック中に比較対象とした画像データ基準値と同じ画像データが指定される画素があった場合には、その画素用の補正画像データとして用いられることになる。
【０１３０】
また各ブロックのCarry信号は、ブロック点灯パターン算出回路にフィードバックされ
、それに応じてブロック点灯パターンが順次更新される。
【０１３１】
Carry信号がHighになった時点で、そのCarryがHighになったブロックの点灯パターンは次の画像データ基準値に対する点灯状態に移行する。
【０１３２】
このような動作を繰り返し行うことにより、本実施例ではブロックごとの、離散的な画像データ基準値に対する、補正画像データを算出することができる。すなわち、比較器による判別の結果によって各ブロックの点灯状態が更新され、更新された点灯状態に応じて以降の演算が行われる。
【０１３３】
なお積算によって得た値と比較する基準値を本実施例では４、８、１６・・・という離散的な値とした。そして各基準値に対応付けられた補正画像データを求める構成とした。一方画像データの取り得る全ての値（１、２、３、・・・２５５）をそれぞれ基準値とする構成も採用できる。この場合は後述する画象データの大きさ方向の補間は不要になる。
【０１３４】
このようにして算出された補正画像データは２軸補間回路７０４に入力され、画像データと画面の水平位置（変調信号配線の番号）に応じて補間がおこなわれ、それぞれに対応した補正画像データが算出される。
【０１３５】
＜２軸補間回路７０４＞
図１０は本実施例の２軸補間回路７０４を説明するための図である。本実施例では画像データのとりうる値の内の一部の値（基準値）に対応する補正画像データを、画素群毎に求める構成としている。したがって、基準値以外の値の画像データに対応する補正画像データを補間により得ている。また、画素の位置に応じた補間も行っている。ここで行う補
間処理としては種々の補間処理を採用することができるが、以下に好適な形態を示す。
【０１３６】
２軸補間回路は、デコーダ１００１、ブロックに対応する、リードアドレス発生回路１００２、ライトアドレス発生回路１００３、DualPortメモリ１００４と、セレクタ１００５、補間回路１、２、３などから構成される。
【０１３７】
まず、離散補正画像データ算出回路７０３から、２軸補間回路７０４への補正データの転送シーケンスについて説明する。
【０１３８】
各水平走査期間において、２軸補間回路７０４では、離散補正画像データ算出回路７０３からのタイムスロットの値（CD）と、ブロックごとのキャリー信号Carry[I]が時系列に供給される。ライトアドレス発生回路１００３は、１Hの開始から、キャリー信号の数を
数える。キャリーとなったタイミングでライト用アドレスを０から順にカウントアップし、そのときのタイムスロット値CDをライト用データとして、DualPortメモリ１００４にそのブロックの補正データの書き込みを行う。キャリーは、そのブロックの輝度が画像データ基準値に達するたびにHighとなるため、DualPortメモリ１００４には、ブロックの各画像データ基準値に対する補正値が、格納されることとなる。
【０１３９】
次にDualPortメモリ１００４に書き込まれたデータをリードし、補間をおこなって、補正画像データDD３を算出するシーケンスについて説明する。
【０１４０】
各水平走査期間において、２軸補間回路７０４へは、画像データDD２と水平表示位置X
が入力される。リードアドレス発生回路１００２では、画像データの大きさと、水平表示位置Xの値を参照して、DualPortメモリ１００４から読み出すためのアドレスを発生する
。
【０１４１】
デコーダ１００１は、画像データの大きさと、水平表示位置Xの値を参照して、セレク
タ１００５を切り替えるための回路である。セレクタ１００５は、DualPortメモリ１００４から読み出された値をさらに切り替え、後段の補間回路１及び２へと供給する。
【０１４２】
まず補間回路１及び２では、ブロックごとの補正画像データを画面の水平表示位置Xに
したがって補間をおこなう回路である。
【０１４３】
補間回路３は、補間回路１及び２で計算された結果に対し、画像データの大きさの方向に対し、補間をおこない、補正画像データDD３を算出する。
【０１４４】
図１１は２軸補間回路７０４の補間計算を行う際のプロセスを説明するための図である。
【０１４５】
まず、前提としてブロック（０〜３）ごとの、画像データ基準値DTH[i]（i=０,１,２…N）に対する補正値がDualPortメモリ１００４に格納されているものとする。
【０１４６】
DualPortメモリ１００４に格納されている補正値は、図１１Ａのように、○、△、▲、◆、■などで書かれた部分に相当し、その間のデータは、存在しない。
【０１４７】
次に画像データDD２と、水平表示位置ｘが入力されると、これらの補正値の中から４つの補正値CA,CB,CC,CDが選択される。
【０１４８】
４つの補正値とは、水平表示位置ｘと、画像データDD２に対し、
Xn  ≦  ｘ  <  Xn+１  
（ただしXnはn番目のブロックに対応する水平表示位置とする）
Dth[k]  ≦  DD２  <  Dth[k+１]
（ただしDth[k]はk番目の画像データ基準値とする）
となるようなブロックｎと画像データ基準値の番号ｋにより、
CA:  ブロックn、画像データ基準値Dth[k]に対する補正値
CB:  ブロックn+１、画像データ基準値Dth[k]に対する補正値
CC:  ブロックn、画像データ基準値Dth[k+１]に対する補正値
CD:  ブロックn+１、画像データ基準値Dth[k+１]に対する補正値
として選択される。
【０１４９】
次に選択された補正と値CA,CB,CC,CDに対し、補間回路１〜３により、実際の画像デー
タの大きさや、水平表示位置に対応して補間計算が行われる。
【０１５０】
まず水平表示位置に対する補間として、補間回路１により、CAとCBからC１が算出され
る。同様にCCとCDからC２が算出される。
【０１５１】
次に画像データの大きさに対する補間として、補間回路３によりC１とC２から補正画像データDD３が計算される。（図１１Ｂに直線近似の場合における計算式を記載した。）
【０１５２】
このようにして補正画像データを算出したところ、計算量が実施例１の形態よりも大きく減少し、ハードウエア量が大きく減少した。
【０１５３】
さらに補正の効果を調べたところ、実施例１の形態に対しては補間を行うための誤差は生じるものの、本発明の課題である補正の誤差は低減し、非常に好ましく表示を行うことができた。
【０１５４】
なお、本実施例では画面の水平方向と、画像データの大きさに対し、同時に離散化を行ったが、特にこれにこだわることはなく、例えば画像データの大きさ方向だけ離散化したり、画面の水平方向だけ離散化してもかまわない。
【０１５５】
また本実施例では、時間方向に輝度を積分することを行っているが、そのタイムスロット幅は必ずしも均等である必要はない。時間につれてそのタイムスロット幅を変更してもかまわない。たとえば低階調に相当するタイムスロットの小さい部分はタイムスロット幅を短く、高階調に相当するタイムスロットの大きい部分はタイムスロット幅を長く設定してもかまわない。ただしこのようにタイムスロット幅を変更した場合には、輝度を積分する際にこのタイムスロット幅に応じて積分を行う必要があることと、スロット数カウンタのカウントアップも、それに応じてタイムスロット幅を変更する必要がある。このようにタイムスロット幅を変えることにより、積分を行うステップ数を減少させることができ、補正回路のクロック周波数を低減するという別の効果がある。
【０１５６】
また画像データの大きさに対し設定する画像データ基準値の値も、一定の間隔ではなく、不等ピッチに設定することにより、補間回路で参照すべき補正画像データの数が減少するため、回路としては簡単化することができる。
【０１５７】
またこの場合、精度が必要な低階調部は細かいピッチ、高階調部は荒いピッチで設定することにより、補正の精度を減少させることなく、回路量を低減することができる。
【０１５８】
また人間の視覚特性は輝度の大きさに対し、低階調ほど分解能が高く、高階調になると分解能が低くなる傾向がある。このような点を考えれば補正の誤差という観点でも、時間ステップを不均等にしたほうが、均等に同じステップ数を計算する場合により、優れた効
果がある。
【０１５９】
また実施例１と同様に、前記比較器は、積分した輝度が、画像データ基準値以上となることを検出していたが、厳密にこれでなくてもよい。すなわち、積分した輝度が画像データ基準値よりも大きくなることを検出しても良いし、積分した輝度が画像データよりも所定の量だけ大きくなったことを検出しても、誤差は増加するが補正としてはある程度の効果がある。
【０１６０】
また以上の各実施例では、信号損失として、共通配線上での電圧降下による損失を補償する例を挙げた。この補償に加えて変調信号配線上での信号損失を補償する補正を行うようにしてもよい。なお本願でいう補償とは損失を完全に過不足なく補うものには限らない。損失による画質の低下を抑制できるものであればよい。
【０１６１】
（実施例３）
実施例１、２において本発明の補正回路と画像表示装置に関し説明してきた。
【０１６２】
上記実施例では、電圧降下の影響により輝度が低下する分を考慮し、画像データの大きさを入力に対し、その不足を補う方向で補正をおこなった。
【０１６３】
しかるに、画像データの大きさは一般的にはある上限をもつため、好ましく補正を行うためには、補正後の画像データがその上限に対し収まるような制御を施す必要がある。
【０１６４】
このような技術に関しては、発明者らは、すでに特開２００３−２３３３４４（ＵＳ２００３／００３０６５４Ａ１）において公開しており、この技術と本発明を組み合わせれば補正を好適に行うことができるだけでなく、画像データの大きさの制御に対しても好適に行うことができる。
【０１６５】
（実施例４）
表面伝導型放出素子を用いた画像表示装置において、画像を好ましく表示するための構成としては、いくつかの補正が提案されている。
【０１６６】
特開２００５−０３１６３６（ＵＳ２００４／０２５７３１１Ａ１）は、表示装置のハレーションによる視覚的な特性を低減するための構成である。
【０１６７】
また、特開平０７−１８１９１１（ＵＳＰ５，６５９，３２８）は、表示装置の均一性を補正するための構成を開示している。
【０１６８】
これらの補正に対し、本発明の補正を組み合わせることにより、より好ましい表示を行うことができることを本発明者らは確認している。
【０１６９】
この際に、補正を行う順番としては、逆γ変換された画像データに対し、まず第一にハレーションの補正を行い、その後、均一性の補正を行う。さらにその後の画像データに対し、本発明の電圧降下の補正を行ったところ、好ましい画像の表示を実現することができた。
【０１７０】
さらに蛍光体の発光特性が駆動に対し非線形性を持つ場合においては、電圧降下の補正の前にその非線形性を打ち消すテーブルを設けるか、若しくは電圧降下の補正の後にその非線形性を打ち消すテーブルを備えることにより、好適に画像を表示することができる。
【図面の簡単な説明】
【０１７１】
【図１】実施例１の画像表示装置の補正画像データ算出回路の構成を表わした図である。
【図２】実施例１の画像表示装置のブロック図を表わした図である。
【図３】実施例１の画像表示装置の補正画像データ算出回路の動作を示すフローチャートである。
【図４】実施例１の画像表示装置の補正画像データ算出回路の構成例を表わした図である。
【図５】図５Ａ及び図５Ｂは、表示素子の明るさを示す値と積算値とを比較する例を示す模式図である。
【図６】実施例２の画像表示装置の離散補正画像データ算出回路の構成を表わした図である。
【図７】実施例２の画像表示装置のブロック図を表わした図である。
【図８】実施例２の画像表示装置の離散補正画像データ算出回路の動作を示すフローチャートである。
【図９】実施例１の変形例におけるタイムスロット幅を不均等にする処理を説明するためのフローチャートである。
【図１０】実施例２で用いた２軸補間回路を示す図である。
【図１１】図１１Ａ及び図１１Ｂは、実施例２で用いた２軸補間回路の補間計算を行う際のプロセスを説明するための図である。
【図１２】ある１水平走査期間の画像データに対し算出されたヒストグラムの例を示す。
【図１３】共通配線である走査信号配線と、該走査信号配線に接続される複数の画素を構成する複数の表面伝導型放出素子と、複数の変調信号配線と、画素を構成する発光体の模式図を示す。
【符号の説明】
【０１７２】
１０１  点灯パターン算出回路
１０２  電圧降下量算出回路
１０３  積分回路（アキュームレータ）
１０４  コンパレータ
１０５  レジスタ
１０６  シフトレジスタ
１０７  タイミング発生回路
１０８  スロット数カウンタ
２０１  逆γ変換部、
２０２  補正画像データ算出回路
２０３  変調回路
２０４  走査回路
２０５  表示パネル
２０６  高圧電源
２０７  タイミング発生回路
６０１  ブロック点灯パターン算出回路
６０２  電圧降下量算出回路
６０３  積分回路
６０４  コンパレータ
６０５  比較値用レジスタ
６０６  ポインタ
６０７  タイミングコントローラ
６０８  スロット数カウンタ
７０１  逆γ変換部
７０３  補正画像データ算出回路
７０４  ２軸補間回路
７０５  変調回路
７０６  表示パネル
７０７  走査回路
７０８  高圧電源
７０９  タイミング発生回路
【図１】
2008170970.tif 000003
【図２】
2008170970.tif 000004
【図３】
2008170970.tif 000005
【図４】
2008170970.tif 000006
【図５】
2008170970.tif 000007
【図６】
2008170970.tif 000008
【図７】
2008170970.tif 000009
【図８】
2008170970.tif 000010
【図９】
2008170970.tif 000011
【図１０】
2008170970.tif 000012
【図１１】
2008170970.tif 000013
【図１２】
2008170970.tif 000014
【図１３】
2008170970.tif 000015